【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
第１の解像度の第１のビデオフォーマットの映像信号を入力する入力手段と、
前記入力手段により入力された前記第１のビデオフォーマットの映像信号を前記第１の解像度よりも低い第２の解像度の第２のビデオフォーマットの映像信号に変換する映像信号変換手段と、
文字画像情報を保持するメモリと、
前記第１のビデオフォーマットの映像信号に前記メモリより読み出した文字画像情報を合成する第１の合成手段と、
前記第１の合成手段により合成された信号を出力する第１の出力手段と、
前記メモリより読み出した文字画像情報を縮小する縮小手段と、
前記第２のビデオフォーマットの映像信号に前記縮小手段により縮小された文字画像情報を合成する第２の合成手段と、
前記第１の出力手段による出力と並列して、前記第２の合成手段により合成された信号を出力する、前記第１の出力手段とは別の第２の出力手段
とを有することを特徴とする映像信号処理装置。
【請求項２】
前記縮小手段の縮小率が整数分の１であることを特徴とする請求項１に記載の映像信号処理装置。
【請求項３】
前記縮小手段は、２×２の４画素単位に前記文字画像情報を縮小することを特徴とする請求項１に記載の映像信号処理装置。
【請求項４】
第１の解像度の第１のビデオフォーマットの映像信号を入力する入力手段と、
前記入力手段により入力された前記第１のビデオフォーマットの映像信号を前記第１の解像度よりも低い第２の解像度の第２のビデオフォーマットの映像信号に変換する映像信号変換手段と、
文字画像情報を保持するメモリと、
前記第２のビデオフォーマットの映像信号に前記メモリより読み出した文字画像情報を合成する第１の合成手段と、
前記第１の合成手段により合成された信号を出力する第１の出力手段と、
前記メモリより読み出した文字画像情報の合成位置に関する情報を変更する位置情報変更手段と、
前記第１のビデオフォーマットの映像信号に、前記位置情報変更手段により変更された合成位置に関する情報に基づいて文字画像情報を合成する第２の合成手段と、
前記第２の合成手段により合成された信号を出力する第２の出力手段
とを有することを特徴とする映像信号処理装置。
【請求項５】
更に、
前記メモリより読み出した文字画像情報を拡大する拡大手段と、
前記位置情報変更手段により合成位置に関する情報が変更された文字画像情報と前記拡大手段からの文字画像情報のうちの一部を選択する選択手段
とを備え、
前記第２の合成手段は、前記第１のビデオフォーマットの映像信号に前記選択手段により選択された文字画像情報を合成することを特徴とする請求項４に記載の映像信号処理装置。
【請求項６】
更に、前記第１のビデオフォーマットの映像信号に前記文字画像情報を合成する際に、合成する位置に応じて前記文字画像情報の表示のオンオフを切換えるよう前記第２の合成手段を制御する制御手段を有することを特徴とする請求項４または５に記載の映像信号処理装置。
【請求項７】
前記拡大手段は、縦横整数倍に前記文字画像情報を拡大することを特徴とする請求項５に記載の映像信号処理装置。
【請求項８】
第１の解像度の第１のビデオフォーマットの映像信号を入力する入力手段と、
前記入力手段により入力された前記第１のビデオフォーマットの映像信号を前記第１の解像度よりも低い第２の解像度の第２のビデオフォーマットの映像信号に変換する映像信号変換手段と、
文字画像情報を保持するメモリと、
前記第２のビデオフォーマットの映像信号に前記メモリより読み出した文字画像情報を合成する第１の合成手段と、
前記第１の合成手段により合成された信号を出力する第１の出力手段と、
前記メモリより読み出した文字画像情報を拡大する拡大手段と、
前記拡大手段により拡大された文字画像情報と、前記メモリより読み出した文字画像情報の一方を選択する選択手段と、
前記第１のビデオフォーマットの映像信号に前記選択手段により選択された文字画像情報を合成する第２の合成手段と、
前記第１の出力手段による出力と並列して、前記第２の合成手段により合成された信号を出力する、前記第１の出力手段とは別の第２の出力手段
とを有することを特徴とする映像信号処理装置。
【請求項９】
前記拡大手段は、縦横整数倍に前記文字画像情報を拡大することを特徴とする請求項６に記載の映像信号処理装置。
【請求項１０】
第１の解像度の第１のビデオフォーマットの映像信号を入力する入力手段と、
前記入力手段により入力された前記第１のビデオフォーマットの映像信号を前記第１の解像度よりも低い第２の解像度の第２のビデオフォーマットの映像信号に変換する映像信号変換手段と、
文字画像情報を保持するメモリと、
前記第２のビデオフォーマットの映像信号に前記メモリより読み出した文字画像情報を合成する第１の合成手段と、
前記第１の合成手段により合成された信号を出力する第１の出力手段と、
前記メモリより読み出した文字画像情報を拡大する拡大手段と、
前記第１のビデオフォーマットの映像信号に前記拡大手段により拡大された文字画像情報を合成する第２の合成手段と、
前記第２の合成手段により合成された信号を出力する第２の出力手段と、
前記第１のビデオフォーマットの映像信号に前記文字画像情報を合成する際に、合成する位置に応じて前記文字画像情報の表示のオンオフを切換えるよう前記第２の合成手段を制御する制御手段
とを有することを特徴とする映像信号処理装置。
【請求項１１】
前記拡大手段は、縦横整数倍に前記文字画像情報を拡大することを特徴とする請求項１０に記載の映像信号処理装置。
【請求項１２】
前記第1のビデオフォーマットがＨＤフォーマットであり、前記第２のビデオフォーマットがＳＤフォーマットである請求項１乃至１１の何れか1項に記載の映像信号処理装置。
【請求項１３】
前記入力手段は撮像手段であることを特徴とする請求項１乃至１２の何れか１項に記載の映像信号処理装置。
【請求項１４】
第１の解像度の第１のビデオフォーマットの映像信号を前記第１の解像度よりも低い第２の解像度の第２のビデオフォーマットの映像信号に変換する映像信号変換ステップと、
前記第１のビデオフォーマットの映像信号に、文字画像情報を保持するメモリより読み出した前記文字画像情報を合成する第１の合成ステップと、
前記メモリより読み出した前記文字画像情報を縮小する縮小ステップと、
前記第２のビデオフォーマットの映像信号に前記縮小ステップにより縮小された文字画像情報を合成する第２の合成ステップと、
前記第１の合成ステップにより合成された信号及び前記第２の合成ステップにより合成された信号を互いに異なる出力手段から出力するステップ
とを有することを特徴とする映像信号処理方法。
【請求項１５】
第１の解像度の第１のビデオフォーマットの映像信号を前記第１の解像度よりも低い第２の解像度の第２のビデオフォーマットの映像信号に変換する映像信号変換ステップと、
前記第２のビデオフォーマットの映像信号に、文字画像情報を保持するメモリより読み出した前記文字画像情報を合成する第１の合成ステップと、
前記メモリより読み出した前記文字画像情報の合成位置に関する情報を変更する位置情報変更ステップと、
前記第１のビデオフォーマットの映像信号に、前記位置情報変更ステップにより変更された合成位置に関する情報に基づいて前記文字画像情報を合成する第２の合成ステップと、
前記第１の合成ステップにより合成された信号及び前記第２の合成ステップにより合成された信号を出力するステップ
とを有することを特徴とする映像信号処理方法。
【請求項１６】
更に、前記第１のビデオフォーマットの映像信号に前記文字画像情報を合成する際に、合成する位置に応じて前記文字画像情報の表示のオンオフを切換えるよう前記第２の合成ステップを制御する制御ステップを有することを特徴とする請求項１５に記載の映像信号処理方法。
【請求項１７】
第１の解像度の第１のビデオフォーマットの映像信号を前記第１の解像度よりも低い第２の解像度の第２のビデオフォーマットの映像信号に変換する映像信号変換ステップと、
前記第２のビデオフォーマットの映像信号に、文字画像情報を保持するメモリより読み出した前記文字画像情報を合成する第１の合成ステップと、
前記メモリより読み出した前記文字画像情報を拡大する拡大ステップと、
前記拡大ステップにより拡大された文字画像情報と、前記メモリより読み出した前記文字画像情報の一方を選択する選択ステップと、
前記第１のビデオフォーマットの映像信号に前記選択ステップにより選択された文字画像情報を合成する第２の合成ステップと、
前記第１の合成ステップにより合成された信号及び前記第２の合成ステップにより合成された信号を互いに異なる出力手段から出力するステップ
とを有することを特徴とする映像信号処理方法。
【請求項１８】
第１の解像度の第１のビデオフォーマットの映像信号を前記第１の解像度よりも低い第２の解像度の第２のビデオフォーマットの映像信号に変換する映像信号変換ステップと、
前記第２のビデオフォーマットの映像信号に、文字画像情報を保持するメモリより読み出した前記文字画像情報を合成する第１の合成ステップと、
前記メモリより読み出した前記文字画像情報を拡大する拡大ステップと、
前記第１のビデオフォーマットの映像信号に前記拡大ステップにより拡大された文字画像情報を合成する第２の合成ステップと、
前記第１の合成ステップにより合成された信号及び前記第２の合成ステップにより合成された信号を出力するステップと、
前記第１のビデオフォーマットの映像信号に前記文字画像情報を合成する際に、合成する位置に応じて前記文字画像情報の表示のオンオフを切換えるよう前記第２の合成ステップを制御する制御ステップ
とを有することを特徴とする映像信号処理方法。
【手続補正２】
【補正対象書類名】明細書
【補正対象項目名】発明の名称
【補正方法】変更
【補正の内容】
【発明の名称】映像信号処理装置及び方法
【手続補正３】
【補正対象書類名】明細書
【補正対象項目名】０００１
【補正方法】変更
【補正の内容】
【０００１】
本発明は、映像信号処理装置及び方法に関する。
【手続補正４】
【補正対象書類名】明細書
【補正対象項目名】０００５
【補正方法】変更
【補正の内容】
【０００５】
本発明は、このような問題点を解決する映像信号処理装置及び方法を提示することを目的とする。
【手続補正５】
【補正対象書類名】明細書
【補正対象項目名】０００６
【補正方法】変更
【補正の内容】
【０００６】
本発明に係る映像信号処理装置は、第１の解像度の第１のビデオフォーマットの映像信号を入力する入力手段と、前記入力手段により入力された前記第１のビデオフォーマットの映像信号を前記第１の解像度よりも低い第２の解像度の第２のビデオフォーマットの映像信号に変換する映像信号変換手段と、文字画像情報を保持するメモリと、前記第１のビデオフォーマットの映像信号に前記メモリより読み出した文字画像情報を合成する第１の合成手段と、前記第１の合成手段により合成された信号を出力する第１の出力手段と、前記メモリより読み出した文字画像情報を縮小する縮小手段と、前記第２のビデオフォーマットの映像信号に前記縮小手段により縮小された文字画像情報を合成する第２の合成手段と、前記第１の出力手段による出力と並列して、前記第２の合成手段により合成された信号を出力する、前記第１の出力手段とは別の第２の出力手段とを有することを特徴とする。
【手続補正６】
【補正対象書類名】明細書
【補正対象項目名】０００７
【補正方法】変更
【補正の内容】
【０００７】
本発明に係る映像信号処理装置は、第１の解像度の第１のビデオフォーマットの映像信号を入力する入力手段と、前記入力手段により入力された前記第１のビデオフォーマットの映像信号を前記第１の解像度よりも低い第２の解像度の第２のビデオフォーマットの映像信号に変換する映像信号変換手段と、文字画像情報を保持するメモリと、前記第２のビデオフォーマットの映像信号に前記メモリより読み出した文字画像情報を合成する第１の合成手段と、前記第１の合成手段により合成された信号を出力する第１の出力手段と、前記メモリより読み出した文字画像情報の合成位置に関する情報を変更する位置情報変更手段と、前記第１のビデオフォーマットの映像信号に、前記位置情報変更手段により変更された合成位置に関する情報に基づいて文字画像情報を合成する第２の合成手段と、前記第２の合成手段により合成された信号を出力する第２の出力手段とを有することを特徴とする。
【手続補正７】
【補正対象書類名】明細書
【補正対象項目名】０００８
【補正方法】変更
【補正の内容】
【０００８】
本発明に係る映像信号処理装置は、第１の解像度の第１のビデオフォーマットの映像信号を入力する入力手段と、前記入力手段により入力された前記第１のビデオフォーマットの映像信号を前記第１の解像度よりも低い第２の解像度の第２のビデオフォーマットの映像信号に変換する映像信号変換手段と、文字画像情報を保持するメモリと、前記第２のビデオフォーマットの映像信号に前記メモリより読み出した文字画像情報を合成する第１の合成手段と、前記第１の合成手段により合成された信号を出力する第１の出力手段と、前記メモリより読み出した文字画像情報を拡大する拡大手段と、前記拡大手段により拡大された文字画像情報と、前記メモリより読み出した文字画像情報の一方を選択する選択手段と、前記第１のビデオフォーマットの映像信号に前記選択手段により選択された文字画像情報を合成する第２の合成手段と、前記第１の出力手段による出力と並列して、前記第２の合成手段により合成された信号を出力する、前記第１の出力手段とは別の第２の出力手段とを有することを特徴とする。
【手続補正８】
【補正対象書類名】明細書
【補正対象項目名】０００９
【補正方法】変更
【補正の内容】
【０００９】
本発明に係る映像信号処理装置は、第１の解像度の第１のビデオフォーマットの映像信号を入力する入力手段と、前記入力手段により入力された前記第１のビデオフォーマットの映像信号を前記第１の解像度よりも低い第２の解像度の第２のビデオフォーマットの映像信号に変換する映像信号変換手段と、文字画像情報を保持するメモリと、前記第２のビデオフォーマットの映像信号に前記メモリより読み出した文字画像情報を合成する第１の合成手段と、前記第１の合成手段により合成された信号を出力する第１の出力手段と、前記メモリより読み出した文字画像情報を拡大する拡大手段と、前記第１のビデオフォーマットの映像信号に前記拡大手段により拡大された文字画像情報を合成する第２の合成手段と、前記第２の合成手段により合成された信号を出力する第２の出力手段と、前記第１のビデオフォーマットの映像信号に前記文字画像情報を合成する際に、合成する位置に応じて前記文字画像情報の表示のオンオフを切換えるよう前記第２の合成手段を制御する制御手段とを有することを特徴とする。
【手続補正９】
【補正対象書類名】明細書
【補正対象項目名】００１０
【補正方法】変更
【補正の内容】
【００１０】
本発明に係る映像信号処理方法は、第１の解像度の第１のビデオフォーマットの映像信号を前記第１の解像度よりも低い第２の解像度の第２のビデオフォーマットの映像信号に変換する映像信号変換ステップと、前記第１のビデオフォーマットの映像信号に、文字画像情報を保持するメモリより読み出した前記文字画像情報を合成する第１の合成ステップと、前記メモリより読み出した前記文字画像情報を縮小する縮小ステップと、前記第２のビデオフォーマットの映像信号に前記縮小ステップにより縮小された文字画像情報を合成する第２の合成ステップと、前記第１の合成ステップにより合成された信号及び前記第２の合成ステップにより合成された信号を互いに異なる出力手段から出力するステップとを有することを特徴とする。
【手続補正１０】
【補正対象書類名】明細書
【補正対象項目名】００１１
【補正方法】変更
【補正の内容】
【００１１】
本発明に係る映像信号処理方法は、第１の解像度の第１のビデオフォーマットの映像信号を前記第１の解像度よりも低い第２の解像度の第２のビデオフォーマットの映像信号に変換する映像信号変換ステップと、前記第２のビデオフォーマットの映像信号に、文字画像情報を保持するメモリより読み出した前記文字画像情報を合成する第１の合成ステップと、前記メモリより読み出した前記文字画像情報の合成位置に関する情報を変更する位置情報変更ステップと、前記第１のビデオフォーマットの映像信号に、前記位置情報変更ステップにより変更された合成位置に関する情報に基づいて前記文字画像情報を合成する第２の合成ステップと、前記第１の合成ステップにより合成された信号及び前記第２の合成ステップにより合成された信号を出力するステップとを有することを特徴とする。
本発明に係る映像信号処理方法は、第１の解像度の第１のビデオフォーマットの映像信号を前記第１の解像度よりも低い第２の解像度の第２のビデオフォーマットの映像信号に変換する映像信号変換ステップと、前記第２のビデオフォーマットの映像信号に、文字画像情報を保持するメモリより読み出した前記文字画像情報を合成する第１の合成ステップと、前記メモリより読み出した前記文字画像情報を拡大する拡大ステップと、前記拡大ステップにより拡大された文字画像情報と、前記メモリより読み出した前記文字画像情報の一方を選択する選択ステップと、前記第１のビデオフォーマットの映像信号に前記選択ステップにより選択された文字画像情報を合成する第２の合成ステップと、前記第１の合成ステップにより合成された信号及び前記第２の合成ステップにより合成された信号を互いに異なる出力手段から出力するステップとを有することを特徴とする。
本発明に係る映像信号処理方法は、第１の解像度の第１のビデオフォーマットの映像信号を前記第１の解像度よりも低い第２の解像度の第２のビデオフォーマットの映像信号に変換する映像信号変換ステップと、前記第２のビデオフォーマットの映像信号に、文字画像情報を保持するメモリより読み出した前記文字画像情報を合成する第１の合成ステップと、前記メモリより読み出した前記文字画像情報を拡大する拡大ステップと、前記第１のビデオフォーマットの映像信号に前記拡大ステップにより拡大された文字画像情報を合成する第２の合成ステップと、前記第１の合成ステップにより合成された信号及び前記第２の合成ステップにより合成された信号を出力するステップと、前記第１のビデオフォーマットの映像信号に前記文字画像情報を合成する際に、合成する位置に応じて前記文字画像情報の表示のオンオフを切換えるよう前記第２の合成ステップを制御する制御ステップとを有することを特徴とする。